【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
サーバによる位置データ収集のための方法であって、前記方法は、
前記サーバにおいて、第１の測位構成に従って複数のモバイルデバイスセンサーの１つまたは複数のモバイルデバイスセンサーの第１のセットを使用するモバイルデバイスによって収集された第１の位置データを受信することと、前記第１の測位構成が、前記第１の位置データを決定するために１つまたは複数のモバイルデバイスセンサーの前記第１のセットのためのパラメータを備える、
前記サーバにおいて受信された前記第１の位置データから、モバイルデバイス位置を決定することと、
少なくとも前記モバイルデバイス位置に従って、前記サーバが、第２の位置データを収集するために使用するための前記複数のモバイルデバイスセンサーの１つまたは複数のモバイルデバイスセンサーの第２のセットをアクティブにするための前記モバイルデバイスへの要求を含む第２の測位構成を作成することと、１つまたは複数のモバイルデバイスセンサーの前記第２のセットは、前記第１の位置データを収集するために使用される１つまたは複数のモバイルデバイスセンサーの前記第１のセットとは異なる少なくとも１つのモバイルデバイスセンサーを含む、
前記サーバが、前記第２の測位構成を前記モバイルデバイスに送ることと、
前記サーバにおいて、前記第２の測位構成に従って１つまたは複数のモバイルデバイスセンサーの前記第２のセットを使用する前記モバイルデバイスによって収集された前記第２の位置データを受信することと
を備える、方法。
【請求項２】
第３の測位構成を作成することと、前記第３の測位構成が、前記サーバにおいて受信された前の位置データに従って決定され、前記前の位置データが前記モバイルデバイス位置に関連する、
をさらに備える、請求項１に記載の方法。
【請求項３】
前記第２の測位構成を作成することが、利用可能なモバイルデバイスセンサーを決定することをさらに備える、請求項１に記載の方法。
【請求項４】
前記第２の測位構成を作成することが、前記サーバにおいて収集された前に記憶された位置データを前記モバイルデバイスから受信された前記第１の位置データと比較することをさらに備える、請求項１に記載の方法。
【請求項５】
前記第２の測位構成を作成することが、
前の位置データからの前記受信された位置データの変化、
ロケーションに関連する要求、
前記モバイルデバイスの測位性能の変化、または
前記サーバによる前の位置データ収集から経過した時間量
のうちの１つまたは複数によってトリガされる、請求項１に記載の方法。
【請求項６】
前記第２の測位構成が、前記モバイルデバイスによるデータ収集のタイプまたは頻度を含むパラメータを備え、ここにおいて、データ収集の前記タイプまたは頻度が、時刻、曜日、日付、現在利用可能な位置データ収集、または前のデータ収集から経過した時間のうちの１つまたは複数に基づく、請求項１に記載の方法。
【請求項７】
前記モバイルデバイス位置を決定すると、前記サーバが、次の可能性があるモバイルデバイス位置に関係するデータを送り、ここにおいて、前記次の可能性があるモバイルデバイス位置が、前記モバイルデバイス位置からアクセス可能な隣接するまたは近くのロケーションである、請求項１に記載の方法。
【請求項８】
モバイルデバイスによる位置データ収集のための方法であって、前記方法は、
前記モバイルデバイスが、第１の測位構成に従って複数のモバイルデバイスセンサーの１つまたは複数のモバイルデバイスセンサーの第１のセットを使用して第１の位置データを収集することと、前記第１の測位構成が、前記第１の位置データを決定するために１つまたは複数のモバイルデバイスセンサーの前記第１のセットのためのパラメータを備える、
前記モバイルデバイスが、前記第１の位置データをサーバに送ることと、
前記モバイルデバイスにおいて、前記サーバから第２の測位構成を受信することと、前記第２の測位構成が、前記第１の位置データに基づく少なくともモバイルデバイス位置に従って作成され、および前記第２の測位構成が、第２の位置データを収集するために使用するための前記複数のモバイルデバイスセンサーの１つまたは複数のモバイルデバイスセンサーの第２のセットをアクティブにするための前記モバイルデバイスへの要求を含み、１つまたは複数のモバイルデバイスセンサーの前記第２のセットは、前記第１の位置データを収集するために使用される１つまたは複数のモバイルデバイスセンサーの前記第１のセットとは異なる少なくとも１つのモバイルデバイスセンサーを含む、
前記モバイルデバイスが、前記第２の位置データを前記サーバに送ることと、前記第２の位置データは、前記第２の測位構成に従って１つまたは複数のモバイルデバイスセンサーの前記第２のセットを使用する前記モバイルデバイスによって収集される、
を備える、方法。
【請求項９】
前記モバイルデバイスが、前記サーバから受信された前記第２の測位構成の全部または一部を適用すべきかどうかを独立して決定する、請求項８に記載の方法。
【請求項１０】
前記モバイルデバイスが、前記モバイルデバイスにおいて第３の測位構成を適用し、ここにおいて、前記第３の測位構成が、前記サーバにおいて受信された前の位置データに少なくとも部分的に基づいて作成される、請求項８に記載の方法。
【請求項１１】
前記第２の測位構成が、前記モバイルデバイスに、
１つまたは複数のモバイルデバイスセンサーの前記第１のセットの１つまたは複数をアクティブまたは非アクティブにすること、
前記モバイルデバイスによって収集された位置データの量を増加または減少させること、
前記モバイルデバイスの位置データ収集頻度を増加または減少させること、または
前記モバイルデバイスから前記サーバに送られる位置データの量を増加または減少させること
のうちの１つまたは複数を実行させる、請求項８に記載の方法。
【請求項１２】
前記第２の測位構成が、前記モバイルデバイスによるデータ収集のタイプまたは頻度を含むパラメータを備え、ここにおいて、データ収集の前記タイプまたは頻度が、時刻、曜日、日付、現在利用可能な位置データ収集、または前のデータ収集から経過した時間のうちの１つまたは複数に基づく、請求項８に記載の方法。
【請求項１３】
データ処理デバイスに、前記データ処理デバイスがサーバを備えるのに対して、請求項１から７に記載の方法か、あるいは、前記データ処理デバイスがモバイルデバイスを備えるのに対して、請求項８から１２に記載の方法かのどちらかを実行させる実行可能プログラム命令を含む、機械可読非一時的記憶媒体。
【請求項１４】
第１の測位構成に従って複数のモバイルデバイスセンサーの１つまたは複数のモバイルデバイスセンサーの第１のセットを使用するモバイルデバイスによって収集された第１の位置データを受信するための手段と、前記第１の測位構成が、前記第１の位置データを決定するために１つまたは複数のモバイルデバイスセンサーの前記第１のセットのためのパラメータを備える、
前記第１の位置データから、モバイルデバイス位置を決定するための手段と、
少なくとも前記モバイルデバイス位置に従って、第２の位置データを収集するために使用するための前記複数のモバイルデバイスセンサーの１つまたは複数のモバイルデバイスセンサーの第２のセットをアクティブにするための前記モバイルデバイスへの要求を含む第２の測位構成を作成するための手段と、１つまたは複数のモバイルデバイスセンサーの前記第２のセットは、前記第１の位置データを収集するために使用される１つまたは複数のモバイルデバイスセンサーの前記第１のセットとは異なる少なくとも１つのモバイルデバイスセンサーを含む、
前記第２の測位構成を前記モバイルデバイスに送るための手段と、
前記第２の測位構成に従って１つまたは複数のモバイルデバイスセンサーの前記第２のセットを使用する前記モバイルデバイスによって収集された前記第２の位置データを受信するための手段と
を備える、サーバ。
【請求項１５】
モバイルデバイスであって、
第１の測位構成に従って複数のモバイルデバイスセンサーの１つまたは複数のモバイルデバイスセンサーの第１のセットを使用して第１の位置データを収集するための手段と、前記第１の測位構成が、前記第１の位置データを決定するために１つまたは複数のモバイルデバイスセンサーの前記第１のセットのためのパラメータを備える、
前記第１の位置データをサーバに送るための手段と、
前記サーバから第２の測位構成を受信するための手段と、前記第２の測位構成が、前記第１の位置データに基づく少なくともモバイルデバイス位置に従って作成され、および前記第２の測位構成が、第２の位置データを収集するために使用するための前記複数のモバイルデバイスセンサーの１つまたは複数のモバイルデバイスセンサーの第２のセットをアクティブにするための前記モバイルデバイスへの要求を含み、１つまたは複数のモバイルデバイスセンサーの前記第２のセットは、前記第１の位置データを収集するために使用される１つまたは複数のモバイルデバイスセンサーの前記第１のセットとは異なる少なくとも１つのモバイルデバイスセンサーを含む、
前記第２の位置データを前記サーバに送るための手段と、前記第２の位置データは、前記第２の測位構成に従って１つまたは複数のモバイルデバイスセンサーの前記第２のセットを使用する前記モバイルデバイスによって収集される、
を備える、モバイルデバイス。